(57)【要約】【課題】ネットワークを経由して入力される放送素材を含む複数種類の放送素材を多重化して伝送する伝送装置を提供することを目的とする。【解決手段】ＴＣ１０２は、受信用ネットワークＩ／Ｆ部２３１を有するファイル受信部２３と、ＴＳパケット変換部２２と、映像符号化部２１と、ＴＳ多重化部２４と、変調部２５と、送信制御部２６とを備えている。映像符号化部２１は、カメラａ４０１から入力される映像信号を符号化してＴＳ信号を出力する。ファイル受信部２３は、受信用ネットワークＩ／Ｆ部２３１を介して、ネットワークａ４２２経由のファイルデータを受信する。ＴＳパケット変換部２２は、ファイルデータをＴＳパケットに変換してＴＳ信号を出力する。ＴＳ多重化部２４は、映像符号化部２１とＴＳパケット変換部２２とから入力されるＴＳ信号を多重化する。変調部２５は、入力されるＴＳ信号を変調して高周波送信装置であるＴＨ４０４に出力する。【選択図】図２
2010011298.tif 000002
【特許請求の範囲】
【請求項１】
ＴＳ信号をデジタル変調して送信する送信側装置を備えた伝送装置であって、
前記送信側装置は、ネットワークを介して入力されるファイルデータをＴＳパケットに変換するＴＳパケット変換部と、
前記ＴＳパケット変換部から入力されるＴＳ信号とその他のＴＳ信号とを多重化するＴＳ多重化部と
を備えることを特徴とする伝送装置。
【発明の詳細な説明】
【技術分野】
【０００１】
本発明は、ＴＳ信号をデジタル変調して送信する送信側装置を備えた伝送装置に関する。
【背景技術】
【０００２】
従来、放送局には、取材現場等で撮影された映像や、映像に関連して作成される取材原稿等の放送素材が送信されていた。これらの放送素材は、放送素材ごとに様々な伝送経路を経ていた。図８は、従来の伝送システムＺのシステム構成を示すブロック図である。図８を参照して、従来の伝送システムＺにおける放送素材の伝送経路を説明する。
【０００３】
第１に、カメラａ４０１で撮影された映像信号は、映像スイッチ４０２を介して、送信制御装置であるＴＣ４０３に入力される。ＴＣ４０３に入力された映像信号は、ＭＰＥＧ−ＴＳ（Moving Picture Experts Group−Transport Stream）信号に変換された後、ＱＡＭ（Quadrature Amplitude Modulation）信号やＯＦＤＭ（Orthogonal Frequency Division Multiplexing）信号等にデジタル変調処理されてＩＦ（Intermediate Frequency）信号として、高周波送信装置であるＴＨ４０４に入力される。ＴＨ４０４に入力されたＩＦ信号は、高周波のＲＦ（Radio Frequency）信号に変換されて、ＴＨ４０４の備える送信用パラボラアンテナ４０５から電波として放射される。
【０００４】
第２に、カメラｂ４１１で撮影された映像信号は、映像記録装置であるＶＴＲａ４１２によりＤＶＤ（Digital Versatile Disc）等のメディア４１３に映像データとして保存される。メディア４１３に保存された映像データは、映像再生装置であるＶＴＲｂ４１４で再生される。再生された映像信号は、映像スイッチ４０２を介して、ＴＣ４０３に入力される。この際、映像スイッチ４０２の接続は、カメラａ４０１の映像信号ではなくＶＴＲｂ４１４の映像信号をＴＣ４０３に入力するよう切替えられる。ＴＣ４０３に入力された映像信号は、カメラａ４０１で撮影された映像信号と同様に、所定の処理をされて、ＴＨ４０４の備える送信用パラボラアンテナ４０５から電波として放射される。
【０００５】
送信用パラボラアンテナ４０５から放射された電波は、空中線Ｗを経由して、高周波受信装置であるＲＨ４０７の備える受信用パラボラアンテナ４０６に到達する。受信用パラボラアンテナ４０６に到達した電波は、ＲＦ信号としてＲＨ４０７に入力され、ＲＨ４０７でＩＦ信号に変換される。ＩＦ信号は、受信制御装置であるＲＣ４０８で変調方式に応じて復調された後、ＭＰＥＧ−ＴＳ信号に変換され、元の映像信号になるよう伸長処理等される。ＲＣ４０８は、映像信号を映像サーバ４０９に渡す。上記処理により、映像サーバ４０９は、カメラａ４０１で撮影された映像信号とカメラｂ４１１で撮影された映像信号とを映像データとして保存する。
【０００６】
第３に、カメラｃ４２１で撮影された映像信号は、ネットワークａ４２２を介して、パーソナルコンピュータであるＰＣａ４２３に映像データとして保存される。ＰＣａ４２３に保存された映像信号は、必要に応じて、ＷＡＮ（広域通信網）４２４を介してパーソナルコンピュータであるＰＣｂ４２５に転送され、ＰＣｂ４２５に映像データとして保存される。
【０００７】
第４に、取材原稿４３１は、ファクシミリである送信側のＦＡＸａ４３２からファクシミリである受信側のＦＡＸｂ４３４へＰＳＴＮ（公衆交換電話網）４３３を介して送信され、ＦＡＸｂ４３４で取材原稿４３５が印字される。取材原稿４３１は、カメラｂ４１１で撮影された映像に関連して作成される。取材原稿４３１は、ＰＣａ４２３で作成される場合もあり、その場合、ＷＡＮ４２４を介してＰＣｂ４２５に転送され、ＰＣｂ４２５に原稿データとして保存される。
【０００８】
また、複数種類の映像信号を受信して、多重化して伝送する技術が知られている（特許文献１参照）。この技術では、ＦＰＵ（Field Pickup Unit）装置や中継車のアンテナや他の基地局のアンテナ等から無線送信される１つ又は複数の映像信号が、基地局装置の備える受信装置で受信される。受信された映像信号は、切替部で多重化して送信するか否かを選択される。切替部で複数の映像信号が選択された場合、多重部で映像信号を多重化する。１つ又は多重化された映像信号は、送信装置のアンテナから他の拠点に向けて無線送信される。
【特許文献１】特開2007-060031号公報
【発明の開示】
【発明が解決しようとする課題】
【０００９】
従来技術では、メディア４１３に保存された映像データを伝送するためには、映像スイッチ４０２の入力を切替えて、カメラａ４０１で撮影された映像の伝送を中断しなければならない。また、メディア４１３に保存された映像データの伝送は、ＶＴＲｂ４１４で再生しながら行われるので、少なくとも伝送に映像データの再生時間分かかる。さらに、メディア４１３に保存された映像データは、元の映像信号に復号されて伝送されるので、ＴＣ４０３の伝送レートの影響を受ける。そのため、この映像データは、ＴＣ４０３の伝送レートによっては、メディア４１３に保存されたときの映像品質より劣化した状態で映像サーバ４０９に保存されることになる。
【００１０】
また、カメラｃ４２１で撮影された映像信号や、取材原稿を伝送するために、伝送装置とは別の伝送経路を用意する必要があり、通信装置の管理や費用等が無駄である。さらに、取材原稿４３１は、カメラｂ４１１で撮影された映像を基に作成されており、カメラｂ４１１の映像と関連する放送素材であるにも拘らず、カメラｂ４１１の映像とは別経路で伝送されるため、関連する放送素材の管理を行いにくい。
【００１１】
一方、特許文献１の技術は、電波で送信された後の複数の映像信号を、基地局装置で多重化して送信する技術であり、電波で送信する前の放送素材の取り扱いについて示していない。
【００１２】
本発明は上記課題に鑑みてなされたものであり、ネットワークを経由して入力される放送素材を含む複数種類の放送素材を多重化して伝送する伝送装置を提供することを目的とする。
【課題を解決するための手段】
【００１３】
本発明の伝送装置は、ＴＳ信号をデジタル変調して送信する送信側装置を備えた伝送装置であって、前記送信側装置は、ネットワークを介して入力されるファイルデータをＴＳパケットに変換するＴＳパケット変換部と、前記ＴＳパケット変換部から入力されるＴＳ信号とその他のＴＳ信号とを多重化するＴＳ多重化部とを備えることを特徴とする。
【発明の効果】
【００１４】
本発明の伝送装置は、ネットワークを経由して入力される放送素材を含む複数種類の放送素材を多重化して伝送するので、伝送経路を単純化し、受信側で放送素材を容易に管理できる。また、本発明の伝送装置は、ネットワークを介して入力されるデータをＴＳパケットにして伝送装置で伝送するので、映像以外の様々なデータを伝送でき、伝送装置としての付加価値が増加する。
【発明を実施するための最良の形態】
【００１５】
本実施形態の伝送装置Ｘのシステム構成を説明する。図１は、本実施形態の伝送装置Ｘのシステム構成を示すブロック図である。図２は、ＴＣ１０２の構成を示す機能ブロック図である。図３は、ＲＣ１０４の構成を示す機能ブロック図である。図１で、図８と同様の構成には同一の符号を付してある。
【００１６】
まず、図１を参照して、送信側の構成は、カメラａ４０１と、カメラｂ４１１と、カメラｃ４２１と、映像記録装置であるＶＴＲａ４１２と、ネットワークａ４２２と、パーソナルコンピュータであるＰＣａ４２３と、スキャナ１０３と、送信制御装置であるＴＣ１０２と、高周波送信装置であるＴＨ４０４とからなる。ＴＨ４０４は、送信用パラボラアンテナ４０５を備えている。
【００１７】
カメラａ４０１は、主映像撮影用であり、撮影した映像信号を直接ＴＣ１０２に入力する。
【００１８】
カメラｂ４１１は、取材撮影用であり、ＶＴＲａ４１２を介して、撮影した映像信号をメディア４１３に映像データとして保存する。
【００１９】
カメラｃ４２１は、補助撮影用のネットワークカメラであり、ネットワークａ４２２を介して、撮影した映像信号を映像データとしてＴＣ１０２に送信する。
【００２０】
ＰＣａ４２３は、パーソナルコンピュータであり、メディア４１３に保存された映像データを読み込み、ネットワークａ４２２を介して、読み込んだ映像データをＴＣ１０２に送信する。
【００２１】
また、ＰＣａ４２３は、スキャナ１０３に接続されており、スキャナ１０３を介して取材原稿４３１を読み込む。ＰＣａ４２３は、ネットワークａ４２２を介して、読み込んだ原稿データをＴＣ１０２に送信する。なお、ＰＣａ４２３は、取材原稿４３１をスキャナ１０３から取得せずに自ら作成して、ネットワークａ４２２を介してＴＣ１０２に送信してもよい。以下、ＰＣａ４２３が有する、スキャナ１０３を介して読み取った取材原稿４３１又は自ら作成した取材原稿を総称して、原稿データという。
【００２２】
このように、ＴＣ１０２には、カメラａ４０１で撮影された主映像と、カメラｂ４１１で撮影された取材映像と、カメラｃ４２１で撮影されたネットワーク映像と、原稿データとの複数の放送素材が入力される。以下、ＴＣ１０２が、ネットワークａ４２２を介して受信する放送素材をファイルデータという。なお、ファイルデータは、映像データや音声データ、画像データ、文書データ等であり、ネットワーク上を伝送可能なデータであれば、データ形式を問わない。
【００２３】
次に、図２を参照してＴＣ１０２の機能を説明する。ＴＣ１０２は、受信用ネットワークＩ／Ｆ部２３１を有するファイル受信部２３と、ＴＳパケット変換部２２と、映像符号化部２１と、ＴＳ多重化部２４と、変調部２５と、送信制御部２６とを備えている。送信制御部２６は、受信用ネットワークＩ／Ｆ部２３１を有するファイル受信部２３とＴＳパケット変換部２２と映像符号化部２１とＴＳ多重化部２４と変調部２５とを、図示しないメモリに記憶されたプログラムに従って、統合的に制御する演算処理装置である。
【００２４】
ファイル受信部２３は、ＰＣａ４２３からネットワークａ４２２経由で、受信用ネットワークＩ／Ｆ部２３１を介してファイルデータを受信する。ファイル受信部２３は、受信したファイルデータをＴＳパケット変換部２２に渡す。
【００２５】
このとき、ネットワークを介して受信するデータは、ネットワーク上でデータ保証される必要がある。受信用ネットワークＩ／Ｆ部２３１は、ネットワークａ４２２を介してＰＣａ４２３との確認応答を行うプロトコルを実装しているが、その詳細については後述する。
【００２６】
ＴＳパケット変換部２２は、ファイルデータを受け取ると、ＴＳパケットのデータ部に収まるようにファイルデータを分割して、ＴＳヘッダを付加したＴＳパケットを作成する。また、ＴＳパケット変換部２２は、ＴＳパケットを作成する際に、ネットワークａ４２２を介したファイルデータであることを示すフラグを、ＴＳヘッダ又はファイルデータの所定の位置に付加する。ＴＳパケット変換部２２は、複数のＴＳパケットが連続したＴＳ信号をＴＳ多重化部２４に渡す。
【００２７】
映像符号化部２１は、カメラａ４０１から入力される映像信号を符号化してＴＳパケットを作成し、複数のＴＳパケットが連続したＴＳ信号をＴＳ多重化部２４に渡す。
【００２８】
ＴＳ多重化部２４は、映像符号化部２１とＴＳパケット変換部２２とから入力されるＴＳ信号を多重化し、多重化したＴＳ信号を変調部２５へ渡す。ＴＳ多重化部２４は、図示しないバッファを有しており、バッファにＴＳパケットを格納し、格納したＴＳパケットを並べ替えることで多重化処理を行う。以下、このバッファを伝送バッファと呼ぶ。また、ＴＳ多重化部２４は、予め入力された伝送レート情報を有しており、伝送レートに応じて多重化するＴＳ信号量を調節する。
【００２９】
なお、ＴＳ多重化部２４は、多重化せずに、映像符号化部２１とＴＳパケット変換部２２とのいずれかのＴＳ信号を変調部２５に渡してもよい。また、ＴＳ多重化部２４は、予め設定された比率で、映像符号化部２１とＴＳパケット変換部２２とから入力されるＴＳ信号の多重化をしてもよい。これにより、放送素材に優先度を設けて伝送できる。
【００３０】
変調部２５は、多重化されたＴＳ信号に、誤り訂正符号付加や、エネルギー拡散、インタリーブ、伝送フレーム化等を行い、ＱＡＭ信号やＯＦＤＭ信号等にデジタル変調したＩＦ信号をＴＨ４０４に渡す。
【００３１】
図1に戻り、ＴＨ４０４は、ＴＣ１０２から入力されたＩＦ信号を高周波のＲＦ信号に変換して、送信用パラボラアンテナ４０５から電波として放射する。
【００３２】
次に、受信側の構成を説明する。図１で、受信側の構成は、受信用パラボラアンテナ４０６を備えた高周波受信装置であるＲＨ４０７と、高周波受信制御装置であるＲＣ１０４と、ネットワークｂ４１０と、映像サーバ４０９と、パーソナルコンピュータであるＰＣｂ４２５とからなる。
【００３３】
送信用パラボラアンテナ４０５から放射された電波は、空中線Ｗを経由して、受信用パラボラアンテナ４０６に到達する。ＲＨ４０７は、受信用パラボラアンテナ４０６に電波が到達すると、高周波のＲＦ信号を中間周波のＩＦ信号に周波数変換してＲＣ１０４に渡す。
【００３４】
図３を参照して、ＲＣ１０４の機能を説明する。ＲＣ１０４は、復調部８１と、ＴＳ分離部８２と、映像復号化部８３と、ファイルデータ再構成部８４と、送信用ネットワークＩ／Ｆ部８５１を有するファイル送信部８５と、受信制御部８６とを備えている。受信制御部８６は、復調部８１とＴＳ分離部８２と映像復号化部８３とファイルデータ再構成部８４と送信用ネットワークＩ／Ｆ部８５１を有するファイル送信部８５とを、図示しないメモリに記憶されたプログラムに従って、統合的に制御する演算処理装置である。
【００３５】
復調部８１は、ＲＨ４０７から渡されたＩＦ信号を変調方式に応じて復調した後、ＴＳ信号に変換し、ＴＳ分離部８２に渡す。
【００３６】
ＴＳ分離部８２は、ＴＳ信号を構成するＴＳパケットに、ＴＳパケット変換部２２によって付加された、ネットワークａ４２２を介したファイルデータであることを示すフラグがあるか否かをチェックする。ＴＳ分離部８２は、チェック結果に応じて、フラグがないＴＳパケットを映像復号化部８３に渡し、フラグがあるＴＳパケットをファイルデータ再構成部８４に渡す。
【００３７】
なお、ＴＳ分離部は、フラグの有無によってＴＳ信号の分離先を判断するのではなく、ＴＳパケットのデータ部がＰＥＳ（Packetized Elementally Stream）形式であるか否かで判断してもよい。ＭＰＥＧ２  Ｓｙｓｔｅｍｓでは、ＰＥＳ形式で映像音声情報を符号化することが規定されているからである。
【００３８】
映像復号化部８３は、ＴＳ信号から元の映像信号を復号し、復号した映像信号を映像サーバ４０９に出力する。映像サーバ４０９は、ＲＣ１０４から入力された映像信号を保存する。
【００３９】
ファイルデータ再構成部８４は、ＴＳパケットからファイルデータを取り出して元のファイルデータとなるよう再構成し、再構成したファイルデータをファイル送信部８５に渡す。ここで、「再構成」とは、複数のＴＳパケットに分割されたファイルデータをすべて受信して元のファイルデータを作成することをいう。ファイルデータが、固定サイズであるＴＳパケットのサイズを超える場合、複数のＴＳパケットに分割されて伝送されるからである。
【００４０】
ファイル送信部８５は、送信用ネットワークＩ／Ｆ部８５１を介して、ファイルデータをネットワークｂ４１０経由でＰＣｂ４２５に送信する。なお、ファイル送信部８５は、ネットワーク上のデータ保証のため、ＰＣｂ４２５との確認応答を行うプロトコルを実装しているが、その詳細については後述する。
【００４１】
図１に戻り、ＰＣｂ４２５は、受信したファイルデータが映像データであれば、ネットワークｂ４１０経由で映像サーバ４０９に送信し、原稿データであれば、自身の記憶装置に保存する。また、映像サーバ４０９は、受信した映像データを保存する。なお、ファイル送信部８５が、ファイルデータの種類に応じて、ファイルデータを映像サーバ４０９又はＰＣｂ４２５に送信するよう振り分けてもよいことは言うまでもない。
【００４２】
次に、上記処理におけるＴＣ１０２のファイル受信部２３とＲＣ１０４のファイル送信部８５とのプロトコル実装について説明する。ネットワークを介したファイルデータの送受信は、ネットワーク上でデータ保証される必要がある。通常であれば、エンド・ツー・エンド間であるＰＣａ４２３とＰＣｂ４２５との間で確認応答が行われる。しかし、伝送装置は、送信側から受信側への片方向通信であるため、ＰＣｂ４２５の応答をＰＣａ４２３へ伝送できない。そこで、確認応答は、ＰＣａ４２３とＴＣ１０２、ＲＣ１０４とＰＣｂ４２５との間で行うこととする。
【００４３】
図４は、ＴＣ１０２とＲＣ１０４とがネットワークを介して送受信するファイルデータのプロトコル変換処理を示す模式図である。ＴＣ１０２の受信用ネットワークＩ／Ｆ部２３１及びＲＣ１０４の送信用ネットワークＩ／Ｆ部８５１は、イーサネット（登録商標）等のネットワークインタフェースに対応するハードウェア装置を有している。また、受信用ネットワークＩ／Ｆ部２３１及び送信用ネットワークＩ／Ｆ部８５１には、所定のＩＰ（Internet Protocol）アドレスがそれぞれ割り振られているものとする。
【００４４】
まず、ＰＣａ４２３とＴＣ１０２とのプロトコル変換処理について説明する。ＴＣ１０２の受信用ネットワークＩ／Ｆ部２３１は、ＴＣＰ（Transmission Control Protocol）／ＩＰ（Internet Protocol）階層モデルに準拠している。ＴＣＰ／ＩＰ階層モデルは、ネットワークインタフェース層、インターネット層、トランスポート層、アプリケーション層からなる。
【００４５】
受信用ネットワークＩ／Ｆ部２３１は、ＰＣａ４２３からファイルデータが格納されたパケットを、ネットワークインタフェース層のプロトコルであるイーサネット（登録商標）プロトコルを介して受け取る。イーサネット（登録商標）プロトコルは、パケットに付加されたイーサネット（登録商標）ヘッダを確認し、上位のインターネット層のプロトコルであるＩＰにパケットを渡す。ＩＰは、パケットに付加されたＩＰヘッダを確認して、上位のトランスポート層のプロトコルであるＴＣＰにパケットを渡す。ＴＣＰは、パケットに付加されたＴＣＰヘッダを確認して、上位のアプリケーション、すなわちファイル受信部２３へファイルデータを渡す。
【００４６】
上記処理により、ＴＣ１０２は、ネットワークａ４２２を介してＰＣａ４２３からファイルデータを受信する。
【００４７】
ファイルデータを受信すると、ファイル受信部２３は、受信したファイルデータをＴＳパケット変換部２２に渡す。上述したように、ファイルデータは、ＴＳ信号に変換され、多重化され、デジタル変調処理されて、ＴＨ４０４から電波として放射される。
【００４８】
電波は、ＲＨ４０７に到達すると、変調方式に対応してデジタル復調され、ファイルデータを有するＴＳ信号に分離され、再構成されて元のファイルデータとなる。ファイル送信部８５は、ファイルデータ再構成部８４によって再構成されたファイルデータを受け取ると、送信用ネットワークＩ／Ｆ部８５１を介してＰＣｂ４２５にファイルデータを送信する。
【００４９】
ここで、ＲＣ１０４がファイルデータをＰＣｂ４２５に送信するための、ＲＣ１０４とＰＣｂ４２５とのプロトコル変換処理について説明する。ＲＣ１０４の送信用ネットワークＩ／Ｆ部８５１は、ＴＣ１０２の受信用ネットワークＩ／Ｆ部２３１と同様に、ＴＣＰ／ＩＰ階層モデルに準拠している。
【００５０】
送信用ネットワークＩ／Ｆ部８５１のアプリケーション層では、トランスポート層のプロトコルであるＴＣＰに、ＰＣｂ４２５へ送信するようファイルデータを渡す。ＴＣＰは、ファイルデータにＴＣＰヘッダを付加したパケットを作成し、インターネット層のプロトコルであるＩＰへ渡す。ＩＰは、渡されたパケットにＩＰヘッダを付加したパケットを作成し、ネットワークインタフェース層のプロトコルであるイーサネット（登録商標）プロトコルに渡す。イーサネット（登録商標）プロトコルは、渡されたパケットにイーサネット（登録商標）ヘッダを付加したパケットを作成し、ＬＡＮ（Local Area Network）等を介してネットワークｂ４１０経由でＰＣｂ４２５に送信する。
【００５１】
上記処理により、ＲＣ１０４は、ネットワークｂ４１０を介してＰＣｂ４２５へファイルデータを送信する。
【００５２】
次に、ファイルデータの送信処理を説明する。図５は、ファイルデータの送信処理を示すシーケンス図である。
【００５３】
予め、メディア４１３にはカメラｂ４１１の映像が保存されており、また、ＰＣａ４２３には原稿データが保存されているものとする。
【００５４】
まず、ＰＣａ４２３は、ファイル転送アプリケーションの起動により（ステップａ１）、ＴＣ１０２のファイル受信部２３にネットワーク接続要求を出す（ステップａ２）。ファイル受信部２３は、ネットワーク接続要求を受けて、ネットワーク接続確立をＰＣａ４２３に返す（ステップａ３）。ＰＣａ４２３は、ネットワーク接続確立を受けると、データ転送開始の指示を受け付ける（ステップａ４）。
【００５５】
ＰＣａ４２３は、メディア４１３から映像データを読み出し（ステップａ５）、ネットワークａ４２２を介してファイル受信部２３に映像データの転送を開始する（ステップａ６）。
【００５６】
ファイル受信部２３は、ネットワークａ４２２を介した映像データをファイルデータとして受信すると、ＴＳパケット変換部２２に、受信したファイルデータを渡すとともにパケット作成要求を出す（ステップａ７）。
【００５７】
ＴＳパケット変換部２２は、パケット作成要求を受けると、渡されたファイルデータをＴＳパケットに変換し、ＴＳ多重化部２４にＴＳ信号を渡すとともにＴＳ信号多重化要求を出す（ステップａ８）。
【００５８】
ＴＳ多重化部２４は、ＴＳ信号多重化要求を受けると、ＴＳ信号を多重化し、変調部２５に渡す。このとき、ＴＳ多重化部２４は、図示しないが、図１のカメラａ４０１からの映像信号が入力されている場合、カメラａ４０１からなるＴＳ信号と映像データからなるＴＳ信号とを多重化することになる。
【００５９】
このようにして多重化されたＴＳ信号は、変調部２５でデジタル変調され、図示しないＴＨ４０４から高周波として放射される。
【００６０】
ＰＣａ４２３は、メディア４１３からの映像データの読み出しを終了すると、ファイル受信部２３に映像データ転送終了を伝える（ステップａ９）。ファイル受信部２３は、受信用ネットワークＩ／Ｆ部２３１を介して、ネットワークａ４２２経由でＰＣａ４２３から映像データ転送終了を受信する。ファイル受信部２３は、映像データ転送終了を受けると、ＴＳパケット変換部２２にパケット作成終了を伝える（ステップａ１０）。ＴＳパケット変換部２２は、ＴＳパケットの作成を終了し、ＴＳ多重化部２４にパケット多重化終了を伝える（ステップａ１１）。ＴＳ多重化部２４は、パケット多重化終了を受けると、ＴＳ信号の多重化を終了する。
【００６１】
次に、ＰＣａ４２３は、メディア４１３からの映像データの読み出しを終了すると、自身が保存する原稿データの読み出しを開始する（ステップａ１２）。ＰＣａ４２３は、読み出した原稿データをＴＣ１０２のファイル受信部２３にネットワークａ４２２を介して送信するとともに、原稿データ転送開始を伝える（ステップａ１３）。
【００６２】
ファイル受信部２３は、受信用ネットワークＩ／Ｆ部２３１を介して、ネットワークａ４２２経由でＰＣａ４２３から送信された原稿データをファイルデータとして受信する。ファイル受信部２３は、ファイルデータを受信すると、ＴＳパケット変換部２２に、受信したファイルデータを渡すとともにパケット作成要求を出す（ステップａ１４）。
【００６３】
ＴＳパケット変換部２２は、パケット作成要求を受けると、渡されたファイルデータをＴＳパケットに変換し、ＴＳ多重化部２４にＴＳ信号を渡すとともにＴＳパケットのパケット多重化要求を出す（ステップａ１５）。
【００６４】
ＴＳ多重化部２４は、パケット多重化要求を受けるとＴＳ信号を多重化し、変調部２５に渡す。このとき、ＴＳ多重化部２４は、図示しないが、図１のカメラａ４０１からの映像信号が入力されている場合、カメラａ４０１からなるＴＳ信号と原稿データからなるＴＳ信号とを多重化することになる。
【００６５】
このようにして多重化されたＴＳ信号は、変調部２５でデジタル変調され、図示しないＴＨ４０４から高周波として放射される。
【００６６】
そして、ＰＣａ４２３は、原稿データの読み出しを終了すると、ネットワークａ４２２を介してファイル受信部２３に原稿データ転送終了を伝える（ステップａ１６）。また、ＰＣａ４２３は、図示しないモニタにデータ転送終了の旨を表示等してユーザに報知する（ステップａ１７）。
【００６７】
ファイル受信部２３は、受信用ネットワークＩ／Ｆ部２３１を介して、ネットワークａ４２２経由でＰＣａ４２３から原稿データ転送終了を受信する。ファイル受信部２３は、原稿データ転送終了を受信すると、ＴＳパケット変換部２２にパケット作成終了の旨を伝える（ステップａ１８）。ＴＳパケット変換部２２は、ＴＳパケットの作成を終了し、ＴＳ多重化部２４にパケット多重化終了を伝える（ステップａ１９）。ＴＳ多重化部２４は、ＴＳ信号の多重化を終了する。
【００６８】
上記処理により、伝送システムＸは、メディア４１３に保存された映像データとＰＣａ４２３に保存された原稿データとを、ネットワークａ４２２を介して伝送する。
【００６９】
ここで、ＴＳ多重化部２４が有する伝送バッファのフロー制御を説明する。ＴＳ多重化部２４は、伝送バッファのデータ量を監視しており、一定の伝送レートを保つためにオーバーフロー制御及びアンダーフロー制御を行っている。図６は、ＴＳ多重化部２４のフロー制御を示すシーケンス図である。
【００７０】
ＴＳ多重化部２４は、多重化処理の中で、伝送バッファのオーバーフローが発生することを検知すると（ステップａ８１でＹｅｓ）、ＴＳパケット変換部２２にオーバーフロー発生通知を出す（ステップａ８２）。ＴＳパケット変換部２２は、オーバーフロー発生通知を受けると、ファイル受信部２３に転送中断要求を出す（ステップａ８３）。ファイル受信部２３は、転送中断要求を受けると、受信用ネットワークＩ／Ｆ部２３１を介して、ネットワークａ４２２経由でＰＣａ４２３に転送中断要求を出す（ステップａ８４）。ＰＣａ４２３は、転送中断要求を受けると、ファイルデータの転送を中断する。これにより、ＴＳ多重化部２４は、新たなＴＳ信号が入力されないので、伝送バッファをオーバーフローさせることなく、伝送バッファに蓄積されたＴＳパケットを多重化して変調部２５に渡せる。
【００７１】
ＴＳ多重化部２４は、多重化処理の中で、伝送バッファのアンダーフローが発生することを検知すると（ステップａ８５でＹｅｓ）、ＴＳパケット変換部２２にアンダーフロー発生通知を出す（ステップａ８６）。ＴＳパケット変換部２２は、アンダーフロー発生通知を受けると、ファイル受信部２３に転送再開要求を出す（ステップａ８７）。ファイル受信部２３は、転送再開要求を受けると、受信用ネットワークＩ／Ｆ部２３１を介して、ネットワークａ４２２経由でＰＣａ４２３に転送再開要求を出す（ステップａ８８）。ＰＣａ４２３は、転送再開要求を受けると、ファイルデータの転送を再開する（ステップａ９０）。
【００７２】
また、ＴＳパケット変換部２２は、ＴＳ多重化部２４にＮＵＬＬパケット多重化要求を出す（ステップａ８９）。ＴＳ多重化部２４は、ＮＵＬＬパケット多重化要求を受けると、ＮＵＬＬパケットを多重化することで伝送レートを一定に安定させる。
【００７３】
ファイル受信部２３は、受信用ネットワークＩ／Ｆ部２３１を介して、ネットワークａ４２２経由でＰＣａ４２３からファイルデータを受信する。ファイル受信部２３は、ファイルデータを受信すると、ＴＳパケット変換部２２にファイルデータを渡すとともにパケット作成再開要求を出す（ステップａ９１）。ＴＳパケット変換部２２は、パケット作成再開要求を受けると、渡されたファイルデータをＴＳパケットに変換し、ＴＳ信号とともに多重化再開要求をＴＳ多重化部２４に渡す（ステップａ９２）。ＴＳ多重化部２４は、多重化再開要求を受けると、伝送バッファのアンダーフロー制御のために行っていたＮＵＬＬパケットの多重化を中止し、入力されるＴＳ信号の多重化を再開する。
【００７４】
上記処理により、ＴＳ多重化部２４は、伝送バッファの状態に応じてオーバーフロー制御及びアンダーフロー制御を行うことで、伝送バッファ量を調節して伝送レートを安定させる。
【００７５】
次に、ファイルデータの受信処理を説明する。図７は、ファイルデータの受信処理を示すシーケンス図である。
【００７６】
まず、ＰＣｂ４２５は、ファイル転送アプリケーションの起動により（ステップｂ１）、ＲＣ１０４のファイル送信部８５にネットワーク接続要求を出す（ステップｂ２）。ファイル送信部８５は、ネットワーク接続要求を受けて、ネットワーク接続確立をＰＣｂ４２５に返す（ステップｂ３）。
【００７７】
ＴＳ分離部８２には、図示しないＲＨ４０７で受信された電波がデジタル復調されたＴＳ信号が入力されている。
【００７８】
ＴＳ分離部８２は、ファイルデータ再構成部８４に、ＴＳ信号の中からファイルデータであることを示すフラグがあるＴＳパケットを渡すとともにパケット受信開始を伝える（ステップｂ４）。ファイルデータ再構成部８４は、渡されたＴＳパケットから元のファイルデータを再構成し、ファイル送信部８５にファイルデータを渡すとともに再構成ファイルデータ送信要求を伝える（ステップｂ５）。
【００７９】
ファイル送信部８５は、再構成ファイルデータ送信要求を受けると、送信用ネットワークＩ／Ｆ部８５１を介して、ネットワークｂ４１０経由でＰＣｂ４２５にファイルデータ転送を開始する（ステップｂ６）。
【００８０】
ＰＣｂ４２５は、ネットワークｂ４１０を介してファイルデータを受信すると、ファイルデータの種類をチェックする。
【００８１】
ＰＣｂ４２５は、ファイルデータが映像データであれば（ステップｂ７でＹｅｓ）、映像データ転送開始表示を図示しないモニタ等に表示してユーザに報知する（ステップｂ８）。そして、ＰＣｂ４２５は、ネットワークｂ４１０を介して映像サーバ４０９への映像データ転送を開始する（ステップｂ９）。映像サーバ４０９は、転送される映像データを保存する。
【００８２】
一方、ＰＣｂ４２５は、ファイルデータが原稿データであれば（ステップｂ７でＮｏ）、原稿データ転送開始表示を図示しないモニタ等に表示してユーザに報知する（ステップｂ１０）。そして、ＰＣｂ４２５は、原稿データを自身の記憶装置に保存する。
【００８３】
ところで、ＴＳ分離部８２は、ファイルデータであることを示すフラグがあるＴＳパケットを所定期間受信しないと、ファイルデータの受信を終了したと判断する。ＴＳ分離部８２は、ファイルデータの受信を終了したと判断すると、ファイルデータ再構成部８４にパケット受信終了を伝える（ステップｂ１１）。ファイルデータ再構成部８４は、パケット受信終了を受けると、ファイル送信部８５に再構成ファイルデータ終了要求を出す（ステップｂ１２）。ファイル送信部８５は、再構成ファイルデータ終了要求を受けると、送信用ネットワークＩ／Ｆ部８５１を介して、ネットワークｂ４１０経由でＰＣｂ４２５へファイルデータ転送終了を送信する。（ステップｂ１３）。
【００８４】
ＰＣｂ４２５は、ファイルデータ転送終了を受けると、今まで転送していたファイルデータが映像データであるか否かを判断する（ステップｂ１４）。ＰＣｂ４２５は、映像データであると判断した場合（ステップｂ１４でＹｅｓ）、映像データ転送終了表示を図示しないモニタ等に表示してユーザに報知する（ステップｂ１５）。そして、映像サーバ４０９への映像データの転送を終了する（ステップｂ１６）。また、ＰＣｂ４２５は、映像データでないと判断した場合（ステップｂ１４でＮｏ）、原稿データ転送終了表示を図示しないモニタ等に表示してユーザに報知する（ステップｂ１７）。そして、ＰＣｂ４２５は、ユーザ操作による原稿データの読み出しを受け付ける（ステップｂ１８）。
【００８５】
上記処理により、伝送システムＸは、伝送された映像データと原稿データとを、ネットワークｂ４１０を介して映像サーバ４０９又はＰＣｂ４２５に送信する。
【００８６】
本実施形態で、ＴＣ１０２は、カメラａ４０１の映像信号の入力とネットワークａ４２２を介して受信するファイルデータの入力との２つの入力部を有しているが、さらに、複数の入力部を備えていてもよい。例えば、ＴＳ信号を出力する外部機器を接続し、そのＴＳ信号の入力を受け付ける入力部を有してもよい。その場合、ＴＳ多重化部２４は、それらのＴＳ信号を多重化して変調部２５に渡す。
【００８７】
以上、本実施形態を概説すると、ＴＳ信号をデジタル変調して送信する送信側装置を備えた伝送装置であって、前記送信側装置は、ネットワークを介して入力されるファイルデータをＴＳパケットに変換するＴＳパケット変換部と、ＴＳパケット変換部から入力されるＴＳ信号とその他のＴＳ信号とを多重化するＴＳ多重化部とを備えることを特徴とする伝送装置である。
【００８８】
本実施形態によれば、複数の放送素材を放送局に伝送するにあたり、1つの送信制御装置でまとめて伝送できるので、伝送経路を単純化できるとともに、関連する放送素材の管理が容易になる。さらに、ネットワークを介したファイルデータを伝送装置で伝送できるので、ファイル化された映像データを映像信号に再変換する必要がなく、また、撮影する映像機器や符号化方式の制約がなくなり、映像以外のデータを伝送できる。これにより、伝送装置としての付加価値が増大する。
【００８９】
本発明は上述した実施の形態に限定されるものではなく、本発明の趣旨を逸脱しない範囲で種々様々に変更が可能であることは言うまでもない。
【産業上の利用可能性】
【００９０】
本発明は、伝送装置を利用して複数種類のデータを伝送する伝送形態に適用できる。
【図面の簡単な説明】
【００９１】
【図１】本実施形態の伝送装置Ｘのシステム構成を示すブロック図である。
【図２】本実施形態の伝送装置ＸにおけるＴＣ１０２の構成を示す機能ブロック図である。
【図３】本実施形態の伝送装置ＸにおけるＲＣ１０４の構成を示す機能ブロック図である。
【図４】本実施形態の伝送装置ＸのＴＣ１０２とＲＣ１０４とがネットワークを介して送受信するファイルデータのプロトコル変換処理を示す模式図である。
【図５】本実施形態の伝送装置Ｘにおけるファイルデータの送信処理を示すシーケンス図である。
【図６】本実施形態の伝送装置ＸにおけるＴＳ多重化部のフロー制御を示すシーケンス図である。
【図７】本実施形態の伝送装置Ｘにおけるファイルデータの受信処理を示すシーケンス図である。
【図８】従来の伝送装置のシステム構成を示すブロック図である。
【符号の説明】
【００９２】
１０２、４０３・・・ＴＣ、１０３・・・スキャナ、１０４、４０８・・・ＲＣ、
４０１・・・カメラａ、４０２・・・映像スイッチ、４０４・・・ＴＨ
４０５・・・送信用パラボラアンテナ、４０６・・・受信用パラボラアンテナ
４０７・・・ＲＨ、４０９・・・映像サーバ、４１０・・・ネットワークｂ
４１１・・・カメラｂ、４１２・・・ＶＴＲａ、４１３・・・メディア
４２１・・・カメラｃ、４２２・・・ネットワークａ、４２３・・・ＰＣａ
４２４・・・ＷＡＮ、４２５・・・ＰＣｂ、４３１・・・取材原稿
４３２・・・ＦＡＸａ、４３３・・・ＰＳＴＮ、４３４・・・ＦＡＸｂ
２１・・・映像符号化部、２２・・・ＴＳパケット変換部
２３・・・ファイル受信部、２３１・・・受信用ネットワークＩ／Ｆ部
２４・・・ＴＳ多重化部、２５・・・変調部、２６・・・送信制御部
８１・・・複調部、８２・・・ＴＳ分離部、８３・・・映像復号化部
８４・・・ファイルデータ再構成部、８５・・・ファイル送信部
８５１・・・送信用ネットワークＩ／Ｆ部、８６・・・受信制御部
Ｗ・・・空中線
【図１】
2010011298.tif 000003
【図２】
2010011298.tif 000004
【図３】
2010011298.tif 000005
【図４】
2010011298.tif 000006
【図５】
2010011298.tif 000007
【図６】
2010011298.tif 000008
【図７】
2010011298.tif 000009
【図８】
2010011298.tif 000010